(57)【特許請求の範囲】
【請求項１】
断熱壁の内側に間隔を存して仕切板を配置し、この仕切板と前記断熱壁間にダクトを形成すると共に、前面上部には温度関連機器を取り付けて成るショーケースにおいて、
前記断熱壁の天壁に前記仕切板を固定する内部中空の支持具と、前記天壁の前部を貫通し、前方から後方に向けて低くなるよう傾斜して形成された引込用通路とを備え、この引込用通路の延在方向を前記温度関連機器の感温部取付位置近傍に指向させ、且つ、前記支持具内の空間を前記引込用通路と感温部取付位置の間に位置せしめたことを特徴とするショーケース。
【発明の詳細な説明】
【０００１】
【産業上の利用分野】
本発明は、前面上部に温度計や温度調節器、温度警報器等の温度関連機器を取り付けてなるショーケースに関するものである。
【０００２】
【従来の技術】
従来よりこの種ショーケースはスーパーマーケット等の店舗に設置されて食品等の商品を冷却しながら陳列販売するものであり、例えば特公昭６１−５７９９０号公報（Ｆ２５Ｄ１１／００）に示されるように、断熱壁の内側に冷気流通用のダクトを形成し、断熱壁の天壁には温度調節器を設け、この温度調節器の感温部を天壁を貫通してダクト内に引き込んでいた。
【０００３】
図４に係る従来のショーケース１０１の構造を示す。断面コ字状の断熱壁１０２の内側には間隔を存して外層仕切板１０３を取り付けると共に、この外層仕切板１０３の内側には間隔を存して内層仕切板１０４を取り付けることにより、断熱壁１０２と外層仕切板１０３間に外層ダクト１０６を、また、内外層仕切板１０４、１０３間に内層ダクト１０７を、更に、内層仕切板１０４の内側に貯蔵室１０８をそれぞれ形成している。
【０００４】
断熱壁１０２の開口上縁には前後に外層吐出口１０９、内層吐出口１１１が形成されており、前記外層ダクト１０６及び内層ダクト１０７は各吐出口１０９、１１１にそれぞれ連通している。そして、内層ダクト１０７内には図示しない冷却器が設置され、この冷却器と熱交換した冷気は図示しない送風機により内層ダクト１０７内を上昇せられ、内層吐出口１１１から開口に向けて吐出される。また、外層ダクト１０６内の空気も図示しない送風機により外層吐出口１０９から開口に向けて吐出されるので、断熱壁１０２（貯蔵室１０８）の開口には内外二層のエアーカーテンが形成される。
【０００５】
そして、内側の冷気エアーカーテンの一部が貯蔵室１０８内に進入して貯蔵室１０８内は冷却されると共に、エアーカーテンを形成した冷気等は断熱壁１０２の開口下縁に形成した図示しない吸込口から各ダクト１０９、１１１に帰還する。尚、１１２は内層仕切板１０４の天壁１０４Ａ前端に取り付けた蛍光灯である。断熱壁１０２の天壁１０２Ａ前端部上面には箱状のキャノピー１１４が取り付けられ、天壁１０２Ａより前方に庇状に突出している。
【０００６】
このキャノピー１１４の天壁１０２Ａより前側に位置する部分の下面には反射板１１６が取り付けられており、この反射板１１６の下側には蛍光灯１１７が取り付けられている。また、キャノピー１１４の前面には温度関連機器としての庫内温度計１１８が取り付けられており、反射板１１６の上面には同じく温度関連機器としての温度調節器１１９が取り付けられている。
【０００７】
一方、キャノピー１１４内後端部に位置する断熱壁１０２の天壁１０２Ａには引込孔１２１が天壁１０２Ａを上下に貫通して穿設されており、更に、それより後下方に位置する外層仕切板１０３の天壁１０３Ａにも引込孔１２２が穿設されている。そして、前記庫内温度計１１８の感温部としての感温筒１２３及び温度調節器１１９に接続された感温部としての温調センサ１２４は共に後方に延長され、両引込孔１２１、１２２を階段状に通過した後、内層ダクト１０７に引き込まれる。そして、温調センサ１２４は内層ダクト１０７内の所定の取付位置に配置されると共に、感温筒１２３は内層仕切板１０４に穿設した図示しない点検孔から貯蔵室１０８内上部の所定の取付位置に引き出されている。
【０００８】
そして、前記庫内温度計１１８は感温筒１２３が感知する貯蔵室１０８内の温度を表示すると共に、温度調節器１１９は温調センサ１２４が検出する吐出冷気の温度に基づき、図示しない冷却装置の圧縮機の運転を制御して貯蔵室１０８内の温度を設定値に維持するものであった。
【０００９】
【発明が解決しようとする課題】
ここで、この種ショーケース１０１では据え付け時に高温警報器等を取り付ける場合があり、その場合には係る高温警報器等の感温部を前記引込孔１２１、１２２及び点検孔から貯蔵室１０８内に引き入れることになる。また、前記庫内温度計１１８や温度調節器１１９が故障して交換するメンテナンス時にも、据え付け後に前記感温筒１２３や温調センサ１２４を引込孔１２１、１２２から引き入れることになる。
【００１０】
しかしながら、この種スーパーマーケットでは通常ショーケース１０１の上部に下がり壁Ｗが設けられる。そして、この下がり壁Ｗが図中実線で示す位置からＡで示す位置まで来ると、引込孔１２１が奥方で上下に貫通している関係上、ショーケース１０１の据え付け後に手前上方から引込孔１２１に手が届かなくなる。また、引込孔１２１自体が見つけ難く、手を入れて感温筒１２３や温調センサ１２４を配設する作業が極めて困難となる問題があった。
【００１１】
本発明は係る従来の技術的課題を解決するために成されたものであり、据え付け後に温度関連機器の感温部を取り付ける場合や、既に設けられているものを交換するメンテナンス作業を行う際の作業性を改善したショーケースを提供することを目的とする。
【００１２】
【課題を解決するための手段】
即ち、本発明のショーケースは、断熱壁の内側に間隔を存して仕切板を配置し、この仕切板と断熱壁間にダクトを形成すると共に、前面上部には温度関連機器を取り付けて成り、断熱壁の天壁に仕切板を固定する内部中空の支持具と、天壁の前部を貫通し、前方から後方に向けて低くなるよう傾斜して形成された引込用通路とを備え、この引込用通路の延在方向を温度関連機器の感温部取付位置近傍に指向させ、且つ、支持具内の空間を引込用通路と感温部取付位置の間に位置せしめたものである。
【００１３】
【作用】
本発明のショーケースによれば、断熱壁の天壁の前部を貫通して前方から後方に向けて低くなるよう傾斜した引込用通路を形成すると共に、この引込用通路の延在方向を温度関連機器の感温部取付位置近傍に指向させたものであるから、温度関連機器の感温部を天壁の手前上方から引込用通路を通し、一直線に取付位置近傍まで挿入することができるようになる。従って、ショーケースの組立時、或いは据え付け後のメンテナンス時に感温部を取り付ける作業が著しく簡単なものとなる。
【００１４】
特に、仕切板を固定するための支持具内の空間を、引込用通路と感温部取付位置の間に位置せしめたものであるから、支持具が感温部を挿入する際の案内となり、挿入作業性が一層向上すると共に、仕切板を断熱壁の天壁に固定する支持板を兼用しているので、ダクト内を流れる空気の障害となる部材の増加を防止して円滑な空気流通を実現できると共に、部品点数の削減によるコストの低減と組立作業性の向上を達成することができるようになるものである。
【００１５】
【実施例】
次に、図面に基づき本発明の実施例を詳述する。図１は本発明のショーケース１の一部切欠斜視図、図２はショーケース１の断熱壁２の天壁２Ａ前端部の縦断側面図、図３は同じくショーケース１の断熱壁２の天壁２Ａ前端部の一部切欠斜視図である。尚、図３において後述する内層仕切板４は削除されている。本発明のショーケース１は断面略コ字状の断熱壁２と、この断熱壁２の両側に取り付けられた側板５とから構成されたオープンショーケースであり、スーパーマーケット等の店舗に据え付けられるものである。
【００１６】
断熱壁２の内側には間隔を存して外層仕切板３を取り付けると共に、この外層仕切板３の内側には間隔を存して内層仕切板４を取り付けることにより、断熱壁２と外層仕切板３間に外層ダクト６を、また、内外層仕切板４、３間に内層ダクト７を、更に、内層仕切板４の内側に貯蔵室８をそれぞれ形成している。
【００１７】
断熱壁２の開口上縁には前後に外層吐出口９、内層吐出口１１が形成されており、前記外層ダクト６及び内層ダクト７は各吐出口９、１１にそれぞれ連通している。そして、内層ダクト７内には図示しない冷却器が設置され、この冷却器と熱交換した冷気は図示しない送風機により内層ダクト７内を上昇せられ、内層吐出口１１から開口に向けて吐出される。また、外層ダクト６内の空気も図示しない送風機により外層吐出口９から開口に向けて吐出されるので、断熱壁２（貯蔵室８）の開口には内外二層のエアーカーテンが形成される。
【００１８】
そして、内側の冷気エアーカーテンの一部が貯蔵室８内に進入して貯蔵室８内は冷却されると共に、エアーカーテンを形成した冷気等は断熱壁２の開口下縁に形成した吸込口１０から各ダクト９、１１に帰還する。尚、１２は内層仕切板４の天壁４Ａ前端に取り付けた蛍光灯であり、２０は貯蔵室８内に複数段架設された棚である。また、外層仕切板３の天壁３Ａは図３の如く断面矩形Ｕ字状の内部中空の支持板２１によって断熱壁２の天壁２Ａに固定されている。
【００１９】
断熱壁２の天壁２Ａ前端部上面には箱状のキャノピー１４が取り付けられ、天壁２Ａより前方に庇状に突出している。このキャノピー１４の天壁２Ａより前側に位置する部分の下面には反射板１６が取り付けられており、この反射板１６の下側には蛍光灯１７が取り付けられている。また、キャノピー１４の前面には温度関連機器としての庫内温度計１８が取り付けられており、反射板１６の上面には同じく温度関連機器としての温度調節器１９が取り付けられている。
【００２０】
一方、断熱壁２の天壁２Ａ前部には引込用通路２２が貫通形成されている。この引込用通路２２は前方から後方に向けて低くなるよう傾斜しており、外側の開口はキャノピー１４内の天壁２Ａ上面前端部にて斜め上前方に向けて開放しており、内側の開口は天壁２Ａの下面にて斜め下後方に向けて開放している。引込用通路２２の延在方向は前記庫内温度計１８の感温部としての感温筒２３や温度調節器１９の感温部としての温調センサ２４の取付位置近傍に指向されており、その延在方向に位置した外層仕切板３の天壁３Ａには引込孔２６が穿設されている。
【００２１】
前記引込孔２６の下方に対応する部分の内層仕切板４の天壁４Ａには点検孔２８が穿設されており、この点検孔２８は蓋２９にて貯蔵室８側から開閉自在に閉塞される。更に、前記支持具２１はその内部の空間が引込用通路２２と前記感温筒２３等の取付位置の間に位置するよう引込孔２６の前側に配置されている。また、キャノピー１４の上面前部にも点検孔３１が穿設されており、蓋３２にて開閉自在に閉塞される。尚、Ｗは前述同様のスーパーマーケットの下がり壁であり、キャノピー１４の上面に当接している。
【００２２】
そして、組立時に前記庫内温度計１８や温調センサ２４を取り付ける場合、或いは高温警報器等をショーケース１の据え付け後に取り付け、または、庫内温度計１８等を交換する場合には、それらの感温筒２３や温調センサ２４を直線状とし、キャノピー１４の点検孔３１を開放して天壁２Ａの手前上方から引込用通路２２内に挿入して行く。
【００２３】
このとき、天壁２Ａの引込用通路２２の延在方向は感温筒２３等の取付位置近傍に指向され、その延在方向に引込孔２６が穿設されているので、感温筒２３や温調センサ２４を一直線に引込孔２６まで挿入することができる。特に、支持具２１内の空間を、引込用通路２２と前記取付位置の間に位置せしめているので、支持具２１が感温筒２３等を挿入する際の案内となる。その後は蓋２９を開けて点検孔２８を開放し、一直線に挿入されて点検孔２８の上方に位置している感温筒２３及び温調センサ２４を引き下げ、温調センサ２４は内層ダクト７内の所定の取付位置に配置すると共に、感温筒２３は点検孔２８より貯蔵室８内の所定の取付位置に引き込む。
【００２４】
尚、温度計１８や温度調節器１９は予め取り付けて置いても良く、或いはその後キャノピー１４に取り付けても良い。そして、各蓋３１、２９は作業後に閉じる。そして、前記庫内温度計１８は感温筒２３が感知する貯蔵室８内の温度を表示すると共に、温度調節器１９は温調センサ２４が検出する吐出冷気の温度に基づき、図示しない冷却装置の圧縮機の運転を制御して貯蔵室８内の温度を設定値に維持する。
【００２５】
このように、断熱壁２の天壁２Ａの前部を貫通して前方から後方に向けて低くなるよう傾斜した引込用通路２２を形成すると共に、この引込用通路２２の延在方向を感温筒２３等取付位置近傍に指向させたものであるから、感温筒２３等を天壁２Ａの手前上方から引込用通路２２を通し、一直線に取付位置近傍まで挿入することができるようになる。従って、ショーケース１の組立時、或いは据え付け後のメンテナンス時に、前述の如く下がり壁Ｗが前方に位置している状態でも感温筒２３等を取り付ける作業が著しく簡単なものとなる。
【００２６】
特に、外層仕切板３を固定するための支持具２１内の空間を、引込用通路２２と前記取付位置の間に位置せしめたものであるから、支持具２１が感温筒２３等を挿入する際の案内となり、挿入作業性が一層向上すると共に、外層仕切板３を断熱壁２の天壁２Ａに固定する支持板２１を兼用しているので、外層ダクト６内を流れる空気の障害となる部材の増加を防止して円滑な空気流通を実現できると共に、部品点数の削減によるコストの低減と組立作業性の向上を達成することができるようになる。
【００２７】
尚、実施例では内外二層のダクトを形成したショーケースに本発明を適用したが、それに限らず、ダクトは一層のみであっても差し支えない。その場合は、上記各図の内層ダクト７は削除され、外層ダクト６がダクトとなってその内部に冷却器が設けられ、冷気が循環されることになる。
【００２８】
【発明の効果】
以上詳述した如く本発明によれば、断熱壁の天壁の前部を貫通して前方から後方に向けて低くなるよう傾斜した引込用通路を形成すると共に、この引込用通路の延在方向を温度関連機器の感温部取付位置近傍に指向させたものであるから、温度関連機器の感温部を天壁の手前上方から引込用通路を通し、一直線に取付位置近傍まで挿入することができるようになる。従って、ショーケースの組立時、或いは据え付け後のメンテナンス時に感温部を取り付ける作業が著しく簡単なものとなる。
【００２９】
特に、仕切板を固定するための支持具内の空間を、引込用通路と感温部取付位置の間に位置せしめたものであるから、支持具が感温部を挿入する際の案内となり、挿入作業性が一層向上すると共に、仕切板を断熱壁の天壁に固定する支持板を兼用しているので、ダクト内を流れる空気の障害となる部材の増加を防止して円滑な空気流通を実現できると共に、部品点数の削減によるコストの低減と組立作業性の向上を達成することができるようになるものである。
【図面の簡単な説明】
【図１】本発明のショーケースの一部切欠斜視図である。
【図２】本発明のショーケースの断熱壁の天壁前端部の縦断側面図である。
【図３】本発明のショーケースの断熱壁の天壁前端部の一部切欠斜視図である。
【図４】従来のショーケース上部の縦断側面図である。
【符号の説明】
１  ショーケース
２  断熱壁
２Ａ  天壁
３  外層仕切板
６  外層ダクト
８  貯蔵室
１８  温度計
１９  温度調節器
２１  支持具
２２  引込用通路
２３  感温筒
２４  温調センサ
【図１】
0003615248.tif 000002
【図２】
0003615248.tif 000003
【図３】
0003615248.tif 000004
【図４】
0003615248.tif 000005